(57)【要約】【課題】数日間の留守中の大容量となる郵便物及び新聞を保管でき、普段は取り出しやすい郵便受けと物品の受けわたし庫となる、多目的郵便受け。【解決手段】郵便受け部分と保管庫部分の間に中底板を設置し開け閉めできるようにする。【選択図】図１
2006122609.tif 000002
【特許請求の範囲】
【請求項１】
郵便受けの中底板をはずしたり、または丁番などで開けることができるようにし、留守中の大容量になる郵便・新聞などを保管できる郵便受け。閉めている状態では、通常の郵便受けと、物品の受けわたしに使える、持ち去られる心配のない保管庫となる。
【発明の詳細な説明】
【発明の詳細な説明】
【技術分野】
【０００１】留守中の大容量となる郵便・新聞受けと、物品の受けわたしのための保管庫を一つにし、利便性をはかった多目的郵便受け。
【背景技術】
【０００２】従来、郵便受けは、だいたい一日分の郵便及び新聞の入る大きさであった。特別大容量の郵便受けもあるが、取り出し口が下方であり取り出しにくかったり、必要のない時は邪魔であった。また、保管庫として玄関に置くものもあるが、やはり邪魔であったり、持ち去られる心配もあった。
【解決の課題】
【０００３】イ）  何日間か留守にする場合、郵便受けがあふれそうになっていると、泥棒に留守が気づかれてしまったり、新聞を止めるので帰宅後読むことができなかったり、隣人に頼んだりしなくてはならなかった。
ロ）  大容量の郵便受けは、一日分としては大きすぎ取り出しにくかった。
ハ）  共働きあるいはちょっとした外出などで留守の間、知人間の物品の受けわたしに困ることもあった。
本発明は、これらの課題を一挙に解決するためになされたものである。
【解決のための手段】
【０００４】郵便受け３と下についた保管庫６との間に開閉できる中底板１をもうけ、上記課題を解決する。
【実施例】
【０００５】中底板の開閉には複数のやり方が考えられるので、図面で詳しく説明する。
イ）      図１で示すように、閉めているとき中底板１は丁番と支えで固定し、開けるとき、折りたたみ、それが郵便受け口２から保管庫６への傾斜板となる。
ロ）      図２で示すように、閉めている時、中底板１は丁番と支えで固定し、開けるとき、郵便受けの天井で磁石、とめ金、ゴム板、突起、鉤などでとめ、それが、雑誌など大きなものが保管庫へ入る誘導となる。
ハ）      図３で示すように、閉めているとき、中底板は支えにのって固定され、開けるとき中底板をはずせる。
ニ）      閉めているとき中底板は、丁番、支えなどで固定されており、開けるとき折りたたむー図４。又は分かれるー図５。
なお郵便取り出し口３、及び物品取り出し口４は、郵便受け２と同じ面、もしくは反対の面にある。
【発明の効果】
【０００６】１）      数日間の留守中の大容量になる郵便・カタログ・メール便・新聞等を保管できるため、泥棒に気づかれず、隣人にたのむこともなく、帰宅後、すぐに留守中の郵便新聞等を読むことができる。
２）      数ヶ月に渡る留守の場合でも、新聞を止めるだけで、上記の効果をえることができる。
３）      普段は中底板を閉めて取り出しやすい郵便・新聞受けとして利用できる。
４）      中底板を閉めて、外出中の物品の受けわたしに保管庫として利用できる。
【図面の簡単な説明】
【図１】は郵便受け５部分の底面が、保管庫６の上面より広くとられている形状のもの。中底板１を折りたたみ、受け口からの傾斜とする。
【図２】は奥行のうすい郵便受け５の場合で、中底板１はカタログなどの大きなものの保管庫６への誘導となる。
【図３】は中底板がフルオープンとなり保管庫６と一体になる。
【図４】は中底板がフルオープンとなり保管庫６と一体になる。  取出口から見た断面図である。
【図５】は中底板がフルオープンとなり保管庫６と一体になる。  取出口から見た断面図である。
【符号の説明】
１．  中底板
２．  郵便受け口
３．  郵便取り出し口
４．  物品取り出し口
５．  郵便受け部分
６．  保管庫部分
【図１】
2006122609.tif 000003
【図２】
2006122609.tif 000004
【図３】
2006122609.tif 000005
【図４】
2006122609.tif 000006
【図５】
2006122609.tif 000007
【手続補正書】
【提出日】平成17年2月3日(2005.2.3)
【手続補正１】
【補正対象書類名】明細書
【補正対象項目名】全文
【補正方法】変更
【補正の内容】
【発明の詳細な説明】
【技術分野】
【０００１】留守中の大容量となる郵便・新聞受けと、物品の受けわたしのための保管庫を一つにし、利便性をはかった多目的郵便受け。
【背景技術】
【０００２】従来、郵便受けは、だいたい一日分の郵便及び新聞の入る大きさであった。特別大容量の郵便受けもあるが、取り出し口が下方であり取り出しにくかったり、必要のない時は邪魔であった。また、保管庫として玄関に置くものもあるが、やはり邪魔であったり、持ち去られる心配もあった。
【解決の課題】
【０００３】イ）  何日間か留守にする場合、郵便受けがあふれそうになっていると、泥棒に留守が気づかれてしまったり、新聞を止めるので帰宅後読むことができなかったり、隣人に頼んだりしなくてはならなかった。
ロ）  大容量の郵便受けは、一日分としては大きすぎ取り出しにくかった。
ハ）  共働きあるいはちょっとした外出などで留守の間、知人間の物品の受けわたしに困ることもあった。
本発明は、これらの課題を一挙に解決するためになされたものである。
【解決のための手段】
【０００４】郵便受け５と下についた保管庫６との間に開閉できる中底板１をもうけ、上記課題を解決する。
【実施例】
【０００５】中底板の開閉には複数のやり方が考えられる。
イ）  図１で示すように、閉めているとき中底板１は丁番と支えで固定し、開けるとき、折りたたみ、それが郵便受け口２から保管庫６への傾斜板となる。
ロ）  図２で示すように、閉めている時、中底板１は丁番と支えで固定し、開けるとき、郵便受けの天井で磁石、とめ金、ゴム板、突起、鉤などでとめ、それが、雑誌など大きなものが保管庫へ入る誘導となる。
ハ）  図３で示すように、閉めているとき、中底板は支えにのって固定され、開けるとき中底板をはずせる。
ニ）  閉めているとき中底板は、丁番、支えなどで固定されており、開けるとき折りたたむ−図４、図６。又は分かれる−図５。
なお郵便取り出し口３、及び物品取り出し口４は、郵便受け口２と同じ面、もしくは反対の面にある。
【発明の効果】
【０００６】１）  数日間の留守中の大容量になる郵便・カタログ・メール便・新聞等を保管できるため、泥棒に気づかれず、隣人にたのむこともなく、帰宅後、すぐに留守中の郵便新聞等を読むことができる。
２）  数ヶ月に渡る留守の場合でも、新聞を止めるだけで、上記の効果をえることができる。
３）  普段は中底板を閉めて取り出しやすい郵便・新聞受けとして利用できる。
４）  中底板を閉めて、外出中の物品の受けわたしに保管庫として利用できる。
【図面の簡単な説明】
【０００７】
【図１】は郵便受け５の底面が、保管庫６の上面より広くとられている形状のもの。中底板１をいくつかに折りたたみ、受け口からの傾斜とする。
【図２】は中底板１がカタログなどの大きなものの保管庫６への誘導となる。
【図３】は中底板１が取りはずせ、保管庫と一体となる。
【図４】は取り出し口からみた断面図。中底板１をいくつかにたたむ。
【図５】は取り出し口からみた断面図。中底板１が分かれる。
【図６】は側面からみたところ。中底板１をいくつかにたたむ。
【符号の説明】
【０００８】１．  中底板
２．  郵便受け口
３．  郵便取り出し口
４．  物品取り出し口
５．  郵便受け部分
６．  保管庫部分
【手続補正２】
【補正対象書類名】図面
【補正対象項目名】図６
【補正方法】追加
【補正の内容】
【図６】
2006122609.tif 000008